(57)【要約】【課題】  容易かつ確実に増し締めをすることができ、解体時には容易に分解できる木造住宅用補強金物を提供すること。【解決手段】  螺合部及び羽子板部を有する羽子板ナットと、該羽子板ナットの螺合部に螺合する第１螺合部及び該第１螺合部とは反対側の第２螺合部を有するボルトと、前記第２螺合部に螺合するナット部材とで構成され、少なくとも前記第１螺合部側の端面には、工具の先端部を挿入し、ボルトを回転させることができる工具係合部が形成されており、一方前記第２螺合部は、前記第１螺合部とは逆回しのネジが形成されていることを特徴とする。【選択図】  図１
2019100067.tif 000002
【特許請求の範囲】
【請求項１】
螺合部及び羽子板部を有する羽子板ナットと、該羽子板ナットの螺合部に螺合する第１螺合部及び該第１螺合部とは反対側の第２螺合部を有するボルトと、前記第２螺合部に螺合するナット部材とで構成され、
少なくとも前記第１螺合部側の端面には、工具の先端部を挿入し、ボルトを回転させることができる工具係合部が形成されており、一方前記第２螺合部は、前記第１螺合部とは逆回しのネジが形成されている木造住宅用補強金物。
【請求項２】
前記ナット部材は、ナットセグメント収納部を有するナット本体と、前記ナットセグメント収納部に収納される複数個のナットセグメントと、該ナットセグメントの上方に設けられ、かつ、前記ナットセグメントをナット本体の底面方向へ付勢する付勢手段と、前記ナットセグメント及び付勢手段を前記ナット本体内部に保持する保持手段と、前記ナット本体に設けられた座金部材とからなることを特徴とする請求項１に記載の木造住宅用補強金物。
【請求項３】
前記座金部材の底面には、木材に食い込む爪が設けられていることを特徴とする請求項２に記載の木造住宅用補強金物。
【請求項４】
前記座金部材はナット本体に対して回転可能に設けられていることを特徴とする請求項２又は請求項３のいずれかに記載の木造住宅用補強金物。
【発明の詳細な説明】
【技術分野】
【０００１】
本発明は木造住宅の縦桁と横桁等の梁を連結し補強する木造住宅用補強金物に関する。
【背景技術】
【０００２】
従来、縦桁と横桁を連結し補強する木造住宅用補強金物としては、一般的に羽子板ボルトと呼ばれる金物が知られている。この補強金物は、金属製の羽子板にボルトが固定的に取り付けられたものであり、このような羽子板ボルトでは、住宅建設後に増し締め等をしようとしても、羽子板ボルト側からボルトを回転させることができず、ナットは外側（外壁の中）に位置してしまっているため、増し締め等ができないという欠点があった。
また、住宅を解体する場合に、縦桁と横桁が羽子板ボルトで接続されているため、縦桁と横桁の結合を容易に解除できず、羽子板ボルト等を破壊しなければ木材の接合部分を解体することができなかった。
【０００３】
ボルトが羽子板に固定されていないものについては、例えば「一端部にボルトが着脱可能あるいは固定的に取付けられた羽子板本体と、この羽子板本体の他端部寄りの部位に形成された対向する部位に切欠部が形成されたボルト挿入孔と、このボルト挿入孔に挿入される頭部寄りの部位のボルト本体部位に打ち込みにより回動するように柱等の木材に食い込み、該ボルト挿入孔の切欠部と対応する部位に形成された食い込み片を有するボルトとを備えることを特徴とする羽子板」（特許文献１）が知られている。
【０００４】
しかし、このような羽子板についても、ボルト自体を回転させることができず、ナットは外側（外壁の中）に位置してしまっているため、増し締め等ができないという欠点があった。
【０００５】
ところで、食い込み片が無いものを用いた場合には、ボルトを回転させることはできるものの、ナットが空転してしまうおそれがあり、確実に増し締めをすることができず、住宅解体時にも、ナットが空転することにより、分解することができずボルト等を破壊しなければならないおそれがあった。
【先行技術文献】
【特許文献】
【０００６】
【特許文献１】特開２０００−３２００１３号公報
【発明の概要】
【発明が解決しようとする課題】
【０００７】
本発明は以上のような従来の欠点に鑑み、容易かつ確実に増し締めをすることができ、解体時には容易に分解できる木造住宅用補強金物を提供することを目的としている。
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明の木造住宅用補強金物は、螺合部及び羽子板部を有する羽子板ナットと、該羽子板ナットの螺合部に螺合する第１螺合部及び該第１螺合部とは反対側の第２螺合部を有するボルトと、前記第２螺合部に螺合するナット部材とで構成され、少なくとも前記第１螺合部側の端面には、工具の先端部を挿入し、ボルトを回転させることができる工具係合部が形成されており、一方前記第２螺合部は、前記第１螺合部とは逆回しのネジが形成されていることを特徴とする。
【発明の効果】
【００１０】
以上の説明から明らかなように、本発明にあっては次に列挙する効果が得られる。
（１）請求項１に記載の発明においては、第１螺合部側の端面に工具係合部が形成されているので、住宅建設後であっても、この工具係合部にドライバー等の先端部を係合し、増し締め等を行うことができる。
（２）羽子板ナット、ボルト及びナット部材を分離できるので、解体時には、ボルトを回転させることにより、羽子板ナットとボルトをそれぞれ分離することができる。
したがって、容易に木材同士の結合を解除することができ、解体した材料を再利用することができる。
（３）請求項２乃至請求項４に記載の各発明においても前記（１）〜（２）と同様な効果が得られるとともに、ボルトをナット部材に押し込むだけで第２螺合部をナット部材と螺合させることができる。
また、解体時にもより容易に羽子板ナットとボルトをそれぞれ分離することができる。
（４）また、座金部材が設けられているので、ナット部材を木材等に容易に固定して用いることができる。
【図面の簡単な説明】
【００１１】
図１乃至図６は本発明の第１の実施形態を示す説明図である。
図７乃至図９は本発明の第２の実施形態示す説明図である。
図１０は本発明の第３の実施形態示す説明図である。
【図１】第１の実施形態の木造住宅用補強金物の分解斜視図。
【図２】羽子板ナットの説明図。
【図３】ボルトの説明図。
【図４】ナット部材の平面図。
【図５】図４の５−５断面図。
【図６】増し締め等をする場合の説明図。
【図７】第２の実施形態の木造住宅用補強金物の分解斜視図。
【図８】羽子板ナットの説明図。
【図９】ナット部材の説明図。
【図１０】第３の実施形態の木造住宅用補強金物の分解斜視図。
【発明を実施するための形態】
【００１２】
以下、図面に示す本発明を実施するための形態により、本発明を詳細に説明する。
【００１３】
図１乃至図６に示す本発明を実施するための第１の形態において、１は木造住宅の梁等、例えば縦桁Ｓと横桁Ｃを接続し補強する木造住宅用補強金物（以下、「補強金物」という）である。
【００１４】
この補強金物１は、図１に示すように、螺合部２（メネジ）及び羽子板部３を有する羽子板ナット４と、該羽子板ナット４の螺合部２に螺合する第１螺合部５（オネジ）及びこの第１螺合部５とは反対側の端部に形成された第２螺合部６（オネジ）とを有するボルト７と、前記第２螺合部６に螺合するナット部材８とで構成されている。
【００１５】
羽子板ナット４は、方形状で釘を挿入する釘穴９及びボルト通し孔１０が形成された羽子板部３と、第１螺合部５に螺合する螺合部２とで構成されている。この螺合部２は、例えば図２で示すように、羽子板部３の表面に固定されており、本実施形態では溶接により羽子板部３の表面の略中央部に固定されている。この螺合部２のネジ孔は、第１螺合部５と螺合するように形成されている。
【００１６】
ボルト７は、その一端部付近に第１螺合部５が形成され、一方、その反対側の他端部付近に第２螺合部６が形成されている。
また、このボルト７の第１螺合部５側の端面には、ドライバーや六角レンチ等の工具類が係合する工具係合部１１（マイナス形状、プラス形状等）が形成されている。本実施形態においては、プラスドライバーの先端部が係合するように略十字形状の工具係合部１１が形成されている。
【００１７】
なお、工具係合部１１は、第１螺合部５側の端面だけに形成してもよいし、第１螺合部５側の端面及び第２螺合部６側の端面に形成してもよい。
このボルト７の第１螺合部５は、本実施形態では左ネジに形成されており、第２螺合部６は右ネジに形成されている。このように形成することにより、ボルト７を一方向に回すだけで、増し締めを行うことができる。
【００１８】
なお、第１螺合部５と第２螺合部６が逆回しのネジになればよいので、第１螺合部５を右ネジ、第２螺合部６を左ネジとしてもよい。
【００１９】
ナット部材８は、本実施形態ではナットセグメント収納部１２を単数又は複数個、本実施形態では３つ有するナット本体１３と、ナットセグメント収納部１２に収納された複数個、本実施形態では３つのナットセグメント収納部１２にそれぞれ収納される３つのナットセグメント１４と、該ナットセグメント１４の上方に設けられ、ナットセグメント１４をナット本体１３の底面方向へ付勢する付勢手段１５と、前記ナットセグメント１４及び付勢手段１５（例えば付勢スプリング）を前記ナット本体１３内部に保持する保持手段１６と、前記ナット本体１３の下端部に設けられた座金部材１７とで構成されている。
【００２０】
このナット部材８のナットセグメント１４は前記第２螺合部６と螺合するように形成されている。
【００２１】
前記保持手段１６は、本実施形態では、ナット本体１３の上端部をカシメにより内側に折り曲げてワッシャーを係止し、ナットセグメント１４及び付勢手段１５を前記ナット本体１３内部に保持している。この保持手段１６は、例えば、ナット本体１３の上部付近の外周面にネジを形成し、このネジに袋ナット状の蓋体を螺合させてナットセグメント１４及び付勢手段１５を前記ナット本体１３内部に保持するようにしてもよい。
【００２２】
座金部材１７は本実施形態ではナット本体１３に回転可能に設けられており、座金部材１７の底面には複数個の爪１８が形成されている。この爪１８によってナット部材８を木材に取り付ける。
【００２３】
なお、ナット部材８として、公知のナットセグメントを用いたナットを使用することができる。
【００２４】
本発明の補強金物１を使用し、増し締めを行う場合には、図６に示すように、工具係合部１１に例えばドライバーの先端部を係合し、ボルト７を回転させる。第１螺合部５と第２螺合部６は逆回りのネジに形成されているので、螺合部２及びナット部材８を同時に締め付けることができる。
【００２５】
解体を行う際には、増し締めした時とは逆方向にボルトを回転させることにより、ナット部材８側ではボルト７の回転により羽子板ナット４側（内側）へボルト７が移動しようとするものの、羽子板ナット４側もナット部材８側（内側）へ移動しようとするので、螺合部２及びナット部材８は軸方向の力を受ける。そうすると、ナットセグメント１４はこの力により押圧されて付勢手段１５の付勢力に抗して外側へ移動し、ナット部材８の内径が拡大する。これにより羽子板ナット４の螺合部２から第１螺合部５が外れる方向（ナット部材側）に移動し、補助金具１を分解することができる。
【００２６】
［発明を実施するための異なる形態］
次に、図７乃至図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図７乃至図９に示す本発明を実施するための第２の形態において、前記本発明を実施するための第１の形態と主に異なる点は、ナット挿入部１９を有する羽子板部３Ａと、このナット挿入部１９に挿入された螺合部２Ａとしてのナット２Ａにより構成した羽子板ナット４Ａと、ナット本体１３の底面付近に座金部材１７Ａが固定されたナット部材８Ａを用いるとともに、ボルト７の第１螺合部５の端面に六角穴形状の工具係合部１１Ａを形成した点で、このような補強金物１Ａにしても、前記本発明を実施するための第１の形態と同様な作用効果が得られる。
【００２８】
なお、本実施形態の座金部材１７Ａは、爪を有しておらず、皿ビスを挿入可能なビス孔２０を複数個有しており、皿ビスによって木材に取り付けられる。
【００２９】
図１０に示す本発明を実施するための第２の形態において、前記本発明を実施するための第１の形態と主に異なる点は、ナットセグメントを備えない通常のナットをナット部材８Ｂとして用いた点で、このような補強金物１Ｂにしても、前記本発明を実施するための第１の形態と同様な作用効果が得られる。
【００３０】
本実施形態では通常のナットをナット部材８Ａとして使用するため、解体を行う際にボルト７を回した場合、ナット部材８Ａが軸方向の力を受けてナット部材８Ａ自体が外側へ移動し、羽子板ナット４からボルト７が外れることにより、分解することができる。
なお、本発明の実施形態では、ナット部材のナットセグメントを３つ用いる形態について説明したが、ナットセグメントは複数個であればよく、例えば２つ、６つ又は８つのナットセグメントを用いてもよい。
【産業上の利用可能性】
【００３１】
本発明は木造住宅用補強金物を製造する産業や木造住宅を建設する産業や、重軽量鉄骨使用の建築をする産業で利用される。
【符号の説明】
【００３２】
１、１Ａ、１Ｂ：木造住宅用補強金物、
２、２Ａ：螺合部、                ３、３Ａ：羽子板部、
４、４Ａ：羽子板ナット、          ５：第１螺合部、
６：第２螺合部、                  ７：ボルト、
８、８Ａ、８Ｂ：ナット部材、      ９：釘穴、
１０：ボルト通し孔、              １１、１１Ａ：工具係合部、
１２：ナットセグメント収納部、    １３：ナット本体、
１４：ナットセグメント、          １５：付勢手段、
１６：保持手段、                  １７、１７Ａ：座金部材、
１８：爪、                        １９：ナット挿入部、
２０：ビス孔、                    Ｓ：縦桁
Ｃ：横桁。
【図１】
2019100067.tif 000003
【図２】
2019100067.tif 000004
【図３】
2019100067.tif 000005
【図４】
2019100067.tif 000006
【図５】
2019100067.tif 000007
【図６】
2019100067.tif 000008
【図７】
2019100067.tif 000009
【図８】
2019100067.tif 000010
【図９】
2019100067.tif 000011
【図１０】
2019100067.tif 000012